(57)【特許請求の範囲】
【請求項１】
所定の間隔で立てられた主柱と、前記各主柱に設けられたスプリングにより常時前方へ向け付勢された進退可能な取付けブラケットと、前記主柱から主柱までの長さに形成され両端部が前記取付けブラケットに対して着脱自在に取付けられた透明な合成樹脂製の柵板とで構成され、
前記合成樹脂製の柵板は少なくとも所定の隙間を有して上下２段に分割され、
上下に分割された柵板と柵板の間に多数の孔のあいた孔あき部材を前記柵板に着脱可能に嵌合しつつ設ける一方、
少なくとも、前記合成樹脂製の柵板に沿って常に緊張力を与える緊張力付勢手段を備えたワイヤを設け、
そのワイヤを所定の間隔で固定支持しつつ、前記柵板に配置されるワイヤ支持具を介して前記棚板上に配索したことを特徴とする競技場用の防護柵。
【請求項２】
前記緊張力付勢手段は、一端が前記ワイヤに、他端が固定部材にそれぞれ支持されたコイルばねとなっていることを特徴とする請求項１記載の競技場用の防護柵。
【請求項３】
前記緊張力付勢手段は、テンション支持体を介して延長されるワイヤの一端に取付けられたテンションウエイトとなっていることを特徴とする請求項１記載の競技場用の防護柵。
【発明の詳細な説明】
【技術分野】
【０００１】
本発明は競技場等に適する競技場用の防護柵に関する。
【背景技術】
【０００２】
一般に競技場等の防護柵はバンクに沿って設けられ、防護柵は、例えば、金網等によって作られる。
【０００３】
金網はバンク内への侵入を阻止する一方、金網を透して競輪選手の動きや競技状況が見えるようになっている。
【発明の開示】
【発明が解決しようとする課題】
【０００４】
防護柵はバンク内への侵入を阻止する点、外から直接見える点に加えて競輪選手が衝突した時にその衝撃エネルギーを吸収し大怪我になるのを抑える安全柵としての機能が求められる。
【０００５】
その点、金網は前記要求を満たすようになるが、金網製の防護柵は針金を格子状に編んだ形状となるため表面全体に凹凸が生まれる。
【０００６】
この凹凸は衝突時に滑らずに身体が引っかかる問題を残す。このために、最近では金網に変えて引っかかりのない透明なアクリル板を用いた防護柵が採用されている。
【０００７】
防護柵をアクリル板で作る場合、金網と同様に外から中が見えるように透明であることが絶対条件となるがアクリル板は、衝突時に引っかかりが発生しない点で優れているが、第１に経年変化によって表面に多数の傷がついたり、劣化等の影響で透明感がなくなり次第に見えづらくなる不具合をかかえる。第２に外気温の影響で膨張すると両端が支柱に固定されているため波打ちが発生する恐れがある。この場合、波打ちが起きない厚みを備えるようにするため、アクリル板１枚あたりの重量が増加し設置時の作業性の面で望ましくないことと、コスト高を招く。第３にアクリル板が厚くなると衝突時に変形しづらい剛性壁面として作用し衝突エネルギーの吸収がしづらくなる課題を残す。
【０００８】
そこで本発明にあっては、透明感がなくなった時に防護柵全体ではなく、見る領域となる必要とする部分のみの交換を可能とする一方、衝突時の衝突エネルギーを確実に吸収できる競技場用の防護柵を提供することを目的とする。
【課題を解決するための手段】
【０００９】
前記目的を達成するために、本発明にあっては、所定の間隔で立てられた主柱と、前記各主柱に設けられたスプリングにより常時前方へ向け付勢された進退可能な取付けブラケットと、前記主柱から主柱までの長さに形成され両端部が前記取付けブラケットに対して着脱自在に取付けられた透明な合成樹脂製の柵板とで構成され、前記合成樹脂製の柵板は少なくとも所定の隙間を有して上下２段に分割され、上下に分割された柵板と柵板の間に多数の孔のあいた孔あき部材を前記柵板に着脱可能に嵌合しつつ設ける一方、少なくとも、前記合成樹脂製の柵板に沿って常に緊張力を与える緊張力付勢手段を備えたワイヤを設け、そのワイヤを所定の間隔で固定支持しつつ、前記柵板に配置されるワイヤ支持具を介して前記棚板上に配索したことを特徴とする。
【００１０】
この場合、前記緊張力付勢手段としては、一端が前記ワイヤに、他端が固定部材にそれぞれ支持されたコイルばねや、あるいは、テンション支持体を介して垂直されるワイヤの一端に取付けられたテンションウエイトとすることが望ましい。
【発明の効果】
【００１１】
本発明によれば、外気温の影響を受けた時に合成樹脂製の棚板は要所、要所が緊張力が与えられたワイヤに固定支持されているため、膨張にともなう波打ちが抑えられ薄い板厚で対応することができる。
【００１２】
この結果、衝突等が発生した時に、一般面の領域にあっては大きく撓む変形によって、主柱領域にあってはスプリングによる進退可能な取付けブラケットによって衝突エネルギーの吸収が図れる。この時、柵板の一般面領域の撓みによる変形はその変形量に比例して緊張力付勢手段によってワイヤも一緒に伸長するため衝撃に基づく柵板の変形に何等悪影響は起きず、無理なく確実に衝撃エネルギーを吸収できる。しかも、一般面に沿って身体は円滑に滑るため傷等の発生を抑えることができる。
【００１３】
一方、柵板表面が傷及び劣化等の影響で透明感が失われた場合には、透明感がなくてもあまり影響のない下位領域の柵板を除き、目の高さとなる上位側の柵板のみ新しいものと交換することができる。この交換時において薄い板厚からくる軽量化によって取付け時の搬送、取付け作業を容易に行なうメリットが生まれる。しかも、交換時のコストも安価に抑えることができる。
【発明を実施するための最良の形態】
【００１４】
以下、図１乃至図８の図面を参照しながら本発明の実施形態について具体的に説明する。
【００１５】
図中１は競輪場等のバンクに沿って所定の間隔で立てられた上下に長い主柱、３は前記主柱１に対して進退可能（図１矢印）な取付けブラケットをそれぞれ示している。
【００１６】
主柱１は中空の角柱状に形成され、下端は基礎５内に埋め込まれることで固定支持されている。
【００１７】
取付けブラケット３は、主柱１に対して上下方向に四箇所配置され、最上位となる一番目と次に位置する二番目の取付けブラケット３は、後述する上下の合成樹脂製の棚板７−１，７−２の上位側の柵板７−１取付け用となっている。三番目と四番目の取付けブラケット３は上下の合成樹脂製の棚板７−１，７−２の下位側の棚板７−２取付け用となっている。
【００１８】
この場合、取付けブラケット３をさらに増やして柵板を三つに分割し上段、中段、下段の各柵取付け用とすることも可能である。
【００１９】
上下に四箇所設けられた取付けブラケット３の構造は、同一構造となるため、その代表例を図４に示す。
【００２０】
取付けブラケット３は前面９と両サイド部１１とからなる断面コ字状に形成され、その前面９は柵板取付面となっている。両サイド部１１は前記主柱１の両側面と外側から挟みつけるよう接触しボルト１３及び袋状のナット１５によって固定支持されている。ボルト１３は取付けブラケット３の両サイド部１１に設けられた前後に長い長孔１７と主柱１の両側面に設けられた取付孔１９を貫通し、貫通したボルト１３のねじ部１３ａに袋状のナット１５が螺合している。
【００２１】
取付けブラケット３と主柱１との間には前方（図４矢印イ）へ向け付勢するスプリング１９が介装支持されている。
【００２２】
スプリング１９は、衝撃等の荷重が作用すると取付けブラケット３を長孔１７の範囲内においてばね圧に抗して後退（矢印ロ）させることで衝撃エネルギーを吸収する衝撃エネルギー吸収用となっている。
【００２３】
一方、上下に分割された合成樹脂製の棚板７−１，７−２は透明なポリカーボネート製で、両端部までの寸法は主柱１から主柱１までの長さに作られている。
【００２４】
上位側の柵板７−１は、観客の上半身が隠れる寸法に作られていて、競技中の競輪選手が柵板７−１を透して見えるようになっている。
【００２５】
上位側の柵板７−１はその両端部が前記取付けブラケット３の前面９にボルト２１及びナット２３によって固定支持された上下に長い取付板２５に着脱自在に取付られている。
【００２６】
この場合、ナット２３は取付けブラケット３の裏面に溶着されたウェルとナットとなっていて、ボルト螺合時にナット２３を支持しなくても外からのボルト２１の螺合が支障なく行なえるようになっている。
【００２７】
取付板２５には、各主柱１と主柱１の間に配置された前記柵板７−１と柵板７−１の両端末部が突合わされた状態で、ボルト２７、ナット２９によりゴム製の弾性部材３１を介して取付けられている。したがって、ボルト２７を弛め取外すことで新しい柵板７−１の交換が可能となっている。
【００２８】
弾性部材３１は、前記取付板２５とほぼ同一幅に形成され、中央部位に突条部３１ａが長手方向に沿って形成されている。弾性部材３１の突条部３１ａには前記柵板７−１と柵板７−１の各端末が弾接しており、その突合わせ領域に  おいて面一形状が確保されている。
【００２９】
上位側の柵板７−１を取付けるボルト２７の頭は、皿板状に形成され座金３３から外部へ突出しないようになっている。
【００３０】
下位側の柵板７−２は透明なポリカーボネート製で所定の隙間ｄを有して前記上位側の柵板７−１と同様に取付けブラケット３に取付けられている。取付け構造は同一のため同一符号を符して詳細な説明を省略する。
【００３１】
上位側の柵板７−１と下位側の柵板７−２の間ｄと、下位側の棚板７−２と地表面９との間には、孔あき衝撃吸収部材３５が設けられている。
【００３２】
孔あき衝撃吸収部材３５は図６（ａ）（ｂ）に示す如く中間部用と下部用の二種類あって、中間部用となる孔あき衝撃吸収部材３５は、ゴムの材質で帯板状に形成された主体部３５ａの上端縁と下端縁に沿って断面Ｕ字状の嵌合凹部３６，３７を有する形状となっている。上方の嵌合凹部３６は上位側の柵板７−１の下端縁と、下方の嵌合凹部３７は下位側の棚板７−２の上端縁とそれぞれ嵌合している。孔あき衝撃吸収部材３５の主体部３５ａには多数の貫通孔３９が設けられている。この貫通孔３９は、選手が近くを通過した時に声援がよく届くようにすること、通過時の自転車通過音が貫通孔３９を介してよく聞こえるようにすることで臨場感が得られるようにするためのものとなっている。
【００３３】
下部用の孔あき衝撃吸収部材３５は、ゴムの材質で帯板状に形成された主体部３５ａの上端縁に沿って断面Ｕ字状の嵌合凹部４１を有する形状となっている。上方の嵌合凹部４１は下位側の棚板７−２の下端縁と嵌合し合うと共に主体部３５ａの下縁は地表面９と接している。主体部３５ａには多数の貫通孔３９が設けられ、この貫通孔３９は前記中間部用の主体部３５ａに設けられた貫通孔３９と同一機能を有する。
【００３４】
なお、孔あき衝撃吸収部材３５はゴムの帯板状に特定されず、ネットタイプであってもよい。
【００３５】
一方、上位側及び下位側の柵板７−１，７−２と孔あき衝撃吸収部材３５には波打ち防止用のワイヤ４３が設けられている。ワイヤ４３は各柵板７−１，７−２が外気温の影響で膨張し波打ちが起きるのを抑えるための補強手段となっていて、例えば、図７に示すように例えば２０ｍおきに設けられた緊張力付勢手段４５によって常に緊張力が与えられている。
【００３６】
ワイヤ４３は上位側の柵板７−１の上端部と孔あき衝撃吸収部材３５の中間部と下位側の棚板７−２の下端部とに沿って設けられている。
【００３７】
ワイヤ４３は約２０ｍの長さとなっていて、その一端は図８に示すように主柱１に、他端はプーリ等のテンション支持体４６から緊張力付勢手段４５となるコイルばね４７とターンバークル４９を介して地表面９のアンカ５１にそれぞれ固定支持されている。
【００３８】
したがって、ターンバークル４９を右又は左へ回転させることでコイルばね４７を引張る引張力の調節が可能となり、強く引張ることでワイヤ４３に強い緊張力を与えることが可能となっている。
【００３９】
この場合、緊張力付勢手段４５としては必ずしもコイルばねタイプでなくてもよい。例えば、図９に示すようにプーリ等のテンション支持体４６から延長される前記ワイヤ４３の端部にテンションウエイト５２を吊下げ、そのテンションウエイト５２のウエイトによって前記ワイヤ４３に常に緊張力を与えるテンションウエイトタイプとすることも可能である。
【００４０】
なお、上下に位置するテンション支持体４６は各柵板７−１，７−２に直接に、中間に位置するテンション支持体４６は各柵板７−１，７−２をつなぐジョイントブラケット（点線で示す）にそれぞれ取付られる。
【００４１】
一方、ワイヤ４３の中間領域は図５に示すように第１、第２、第３ワイヤ支持具５３，５５，５７によって上位側と下位側の各柵板７−１，７−２にそれぞれ支持されている。
【００４２】
第１ワイヤ支持具５３は主柱領域用となっていて、上下に長い前記取付板２５の上端部、中間部、下端部（図示していない）にそれぞれ固着された中空の筒状に形成されている。上端部は上位側の柵板７−１の上端部と、中間部は孔あき衝撃吸収部材３５の中央部と、下端部は下位側の棚板７−２の下端部の各位置とそれぞれ対応し、内部を前記ワイヤ４３が貫通している。
【００４３】
第２ワイヤ支持具５５は、各柵板７−１，７−２の上端部、下端部領域用となっていて、ナット５９にリング部６１が設けられたアイナットの形状となっている。ナット５９は上位側と下位側の各柵板７−１，７−２にボルト６３によって固定支持され、リング部６１には前記ワイヤ４３が貫通している。
【００４４】
第３ワイヤ支持具５７は、各柵板７−１，７−２の中間部位を連結する連結領域用となっていて、上下の取付孔６５，６６を有する金具６７に中空の筒部６９が設けられたジョイント金具の形状となっている。上方の取付孔６５はボルト７１、ナット７３によって上位側の柵板７−１に、下方の取付孔６６はボルト７５、ナット７７によって下位側の棚板７−２にそれぞれ固定されている。中空の筒部６９には前記ワイヤ４３が貫通した構造となっている。
【００４５】
なお、ワイヤ４３は柵板交換時、途中箇所を切断して切り離し新しいワイヤを用いるようにしてもよく、あるいは、ワイヤ４３を取り外し再使用してもよい。
【００４６】
このように構成された防護柵によれば、主柱１によって両端が固定支持された柵板７−１，７−２が外気温等の影響を受けたとしても柵板の要所、要所はワイヤ４３に固定支持されているため膨張にともなう波打ちが抑えられ、今迄より薄い板厚の柵板で対応することが可能となる。この結果、衝突等が発生した時に、一般面の領域及び孔あき衝撃吸収部材３５の領域にあっては大きく撓む変形によって、また、主柱領域にあってはスプリング１９による進退可能な取付けブラケット３によってそれぞれ衝撃エネルギーの吸収が図れる。この場合、各柵板７−１，７−２の一般面領域の変形量はその変形量に比例してワイヤ４３は緊張力付勢手段４５となるコイルばね４７が伸長するため衝撃に基づく柵板の変形，撓みに対して何等悪影響は起きず、無理なく確実に衝撃エネルギーを吸収する。しかも、一般面に沿って身体は円滑に滑るため傷等の発生が抑えられる。
【００４７】
一方、柵板表面が傷や劣化等の影響で透明感が失われた場合には、透明感がなくてもあまり影響のない下位領域の柵板７−２を除き、目の高さとなる上位側の柵板７−１のみ新しいものと交換する。この交換時、柵板７−１は薄い板厚からくる軽量化によって取付け時の搬送、取付け作業が楽に行なえる。しかも、交換時にかかる柵板７−１のコストも安価に抑えることができる。
【図面の簡単な説明】
【００４８】
【図１】本発明にかかる防護柵の支柱領域の取付け状態を示した一部の概要切断面図。
【図２】防護柵の中間領域の取付け状態を示した一部分の概要切断面図。
【図３】防護柵を主柱に取付けた状態の一部分の概要平面図。
【図４】主柱、取付けブラケット、柵板の関係を示した概要分解平面図。
【図５】第１、第２、第３ワイヤ支持具の取付け状態を示した概要説明図。
【図６】孔あき衝撃吸収部材を示した一部分の概要斜視図。
【図７】コイルばねタイプとした緊張力付勢手段を示した概要説明図。
【図８】図７Ａの拡大概要斜視図。
【図９】テンションウエイトタイプとした緊張力付勢手段を示した概要説明図。
【符号の説明】
【００４９】
１    主柱
３    取付けブラケット
７−１    上位側の柵板
７−２    下位側の棚板
１９    スプリング
３５    孔あき衝撃吸収部材
４５    緊張力付勢手段
４６    テンション支持体
４７    コイルばね
５２    テンションウエイト
【図１】
0005129992.tif 000002
【図２】
0005129992.tif 000003
【図３】
0005129992.tif 000004
【図４】
0005129992.tif 000005
【図５】
0005129992.tif 000006
【図６】
0005129992.tif 000007
【図７】
0005129992.tif 000008
【図８】
0005129992.tif 000009
【図９】
0005129992.tif 000010